【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
方法であって、
連続メディアコンテンツセグメントから、複数の保護セグメントを提供すること、
前記保護セグメントと関連するゲートメディアセグメントへのアクセスに応答して、前記保護セグメントのうち１つの少なくとも一部へのユーザアクセスを選択的に提供すること、
を備える方法。
【請求項２】
前記連続メディアコンテンツセグメントは、アトミックなメディアコンテンツセグメントを含む、請求項１に記載の方法。
【請求項３】
保護セグメントの前記少なくとも一部へのアクセスを提供することは、前記ユーザが、前記保護セグメントの少なくとも一部に少なくとも部分的に基づいてプレゼンテーションをレンダリングできるようにすることを含む、請求項１に記載の方法。
【請求項４】
前記ゲートメディアセグメントは、広告を含む、請求項１に記載の方法。
【請求項５】
前記メディアコンテンツセグメントは、エンコードされたオーディオ及び／又はビデオプレゼンテーションを含む、請求項１に記載の方法。
【請求項６】
前記メディアコンテンツセグメントは、インタラクティブメディアコンテンツを含む、請求項１に記載の方法。
【請求項７】
ゲートメディアセグメントと前記保護セグメントとを関連づけることを更に備える、請求項１に記載の方法。
【請求項８】
関連する暗号化キーによって前記複数の保護セグメントを暗号化することを更に備え、
前記保護セグメントのうち１つの少なくとも一部へのユーザアクセスを選択的に提供することは、前記ゲートメディアセグメントへのアクセスに応答して、前記保護セグメントと関連する暗号化キーを前記ユーザに提供することを更に含む、請求項１に記載の方法。
【請求項９】
前記ユーザと関連するコンピューティングプラットフォームに常駐するエージェントを提供するステップと、
前記保護セグメントを前記エージェントに伝送するステップと、
を更に備える、請求項１に記載の方法。
【請求項１０】
前記保護セグメントをエージェントに伝送することは、前記ゲートメディアセグメントに少なくとも部分的に基づくプレゼンテーションのレンダリングが検出されることに応答して、前記少なくとも１つの保護セグメントを伝送することを更に含む、請求項９に記載の方法。
【請求項１１】
前記ユーザと関連するユーザプロファイル情報のデータベースを維持すること、
前記プロファイル情報に少なくとも部分的に基づいて、前記複数の保護セグメントと関連する少なくとも１つのゲートメディアセグメントを提供すること
を更に備える、請求項１に記載の方法。
【請求項１２】
前記ユーザと関連する購買行動に応答して、前記ユーザプロファイル情報を更新することを更に備える、請求項１１に記載の方法。
【請求項１３】
前記ユーザが行ったコンテンツ選択に応答して、前記ユーザと関連するユーザプロファイル情報を更新することを更に備える、請求項１２に記載の方法。
【請求項１４】
タイムラインプロファイルによって、前記複数の保護メディアセグメントの間に複数のゲートメディアセグメントを順次にインタリーブすることを更に備える、請求項１に記載の方法。
【請求項１５】
前記ゲートメディアセグメントへのアクセスがない場合、前記保護メディアセグメントへのアクセスを提供する代案として、応答を提供することを更に備える、請求項１に記載の方法。
【請求項１６】
前記保護メディアセグメントは、オーディオ及びビデオ構成要素を含むプレゼンテーションのエンコードされた部分を含み、前記代案は、前記ビデオ構成要素のレンダリングを禁止すると同時に、前記オーディオ構成要素のレンダリングを可能にすることを含む、請求項１５に記載の方法。
【請求項１７】
前記代案は、前記保護メディアセグメントと関連するティーザプレゼンテーションのレンダリングを可能にすることを含む、請求項１５に記載の方法。
【請求項１８】
前記メディアデバイス上に常駐するレンダリング・アプリケーションを提供することを更に備える、請求項１に記載の方法。
【請求項１９】
前記ユーザアクセスを選択的に提供することは、前記保護メディアセグメントと関連するゲートメディアセグメントへのアクセスがない場合、前記ユーザによる前記保護セグメントのうち１つの少なくとも一部へのアクセスを禁止することを含む、請求項１に記載の方法。
【請求項２０】
メディアデバイスから前記連続メディアコンテンツセグメントの選択を受信することを更に備える請求項１に記載の方法。
【請求項２１】
前記メディアデバイスでアクセスされた前記ゲートメディアセグメントのうち特定の１つに少なくとも部分的に基づいて前記料金を決定するステップを更に含む、請求項２０に記載の方法。
【請求項２２】
前記メディアデバイスでアクセスされるとき、前記１つ以上のゲートメディアセグメントは、前記１つ以上のスポンサーのうち少なくとも１つによって運営される少なくとも１つのウェブサイトへのリンクを前記メディアデバイス上に表示し、前記表示されたリンクの選択に少なくとも部分的に基づいて前記料金を決定するステップを更に含む、請求項２０に記載の方法。
【請求項２３】
前記メディアデバイスに常駐するレンダリング・アプリケーションを提供することを更に備える、請求項２０に記載の方法。
【請求項２４】
前記コンテンツ選択と関連する前記メディアに、前記複数のゲートメディアセグメント及び前記複数の保護セグメントと関連するメタデータを含むタイムラインプロファイルを伝送することを更に備える、請求項２３に記載の方法。
【請求項２５】
前記メタデータは、前記保護セグメントと関連するリンクアドレスを含む、請求項２４に記載の方法。
【請求項２６】
前記メタデータは、前記ゲートメディアセグメントと関連する継続期間と関連する情報を含む、請求項２４に記載の方法。
【請求項２７】
前記少なくとも１つの保護セグメントと関連するゲートメディアセグメントに少なくとも部分的に基づくプレゼンテーションのレンダリングを検出することに応答して、少なくとも１つの保護セグメントを前記メディアデバイスにストリーミングすることを更に備える、請求項２０に記載の方法。
【請求項２８】
プレミアム等級の加入ユーザから受信料を受けること、
前記プレミアム等級の加入ユーザが、前記関連ゲートメディアセグメントの少なくとも一部にアクセスしなくても、メディアコンテンツ選択の保護セグメントにアクセスできるようにすること
を更に備える、請求項２０に記載の方法。
【請求項２９】
ユーザと関連するユーザプロファイルに少なくとも部分的に基づいて前記ゲートメディアセグメントを決定するステップを更に備える、請求項２０に記載の方法。
【請求項３０】
前記ユーザと関連する購買行動に少なくとも部分的に基づいて前記ユーザプロファイルを決定することを更に備える、請求項２９に記載の方法。
【請求項３１】
前記ユーザと関連するメディアコンテンツ選択に少なくとも部分的に基づいて前記ユーザプロファイルを決定することを更に備える、請求項２９に記載の方法。
【請求項３２】
前記連続メディアコンテンツセグメントは、アトミックなメディアコンテンツセグメントを含む、請求項２０に記載の方法。
【請求項３３】
前記選択と関連する複数の保護セグメントを識別すること、
前記保護セグメントと関連する複数のゲートメディアセグメントを識別すること、
前記ゲートメディアセグメントと関連する１つ以上のスポンサーから料金を受けること、
を更に備える請求項２０に記載の方法。
【請求項３４】
装置であって、
連続メディアコンテンツセグメントから選択された複数の保護セグメントを受信し、前記保護セグメントと関連するゲートメディアセグメントへのアクセスに応答して、前記保護セグメントのうち１つの少なくとも一部へのユーザアクセスを提供するように適合された、コンピューティングプラットフォームを備える装置。
【請求項３５】
前記連続メディアコンテンツセグメントは、アトミックなメディアコンテンツセグメントを含む、請求項３４に記載の装置。
【請求項３６】
前記保護セグメントと関連するゲートメディアセグメントへのアクセスは、前記ゲートメディアセグメントに少なくとも部分的に基づいてプレゼンテーションをレンダリングすることを含む、請求項３４に記載の装置。
【請求項３７】
前記コンピューティングプラットフォームは、インターネットプロトコルに従って、前記複数の保護セグメントを受信する通信アダプタを含む、請求項３４に記載の装置。
【請求項３８】
前記コンピューティングプラットフォームは、前記保護セグメントをメモリに記憶するように更に適合される、請求項３７に記載の装置。
【請求項３９】
前記コンピューティングプラットフォームは、前記ゲートメディアセグメントのアクセスに応答して、前記通信アダプタを介してメッセージを伝送するように更に適合される、請求項３７に記載の装置。
【請求項４０】
前記コンピューティングプラットフォームは、前記メッセージの伝送後に、前記通信アダプタから前記保護メディアセグメントのうち１つを受信するように更に適合される、請求項３９に記載の装置。